(57)【要約】【課題】資材などを容易に運搬可能で、且つ、作業者が容易に高所作業を行うことができる作業機を提供する。また、不整地などの設置場所へ容易に資材を運搬可能で、不整地などで作業者が容易に高所作業を行うことができる作業機を提供する。【解決手段】作業機１は、運転操作部２１および資材（パネルや長尺物など）を載置可能な載置部３を備え、クローラ２２によって自走可能な車体本体２と、載置部３および運転操作部２１よりも高い位置に配置され、少なくとも車体本体２上の側面に沿って設けられた高所作業台５と、を有する。作業機１の高所作業台５は、少なくとも車体本体２上の側面に沿って設けられた、着脱自在な、転落防止用の手摺部５１を有する。車体本体２は、資材を運搬する被牽引車を着脱自在に連結する連結部を有していてもよい。【選択図】図１
0003193574.tif 000002
【実用新案登録請求の範囲】
【請求項１】
運転操作部および資材を載置可能な載置部を備え、クローラによって自走可能な車体本体と、
前記載置部および前記運転操作部よりも高い位置に配置され、少なくとも前記車体本体上の側面に沿って設けられた高所作業台と、を有することを特徴とする
作業機。
【請求項２】
前記運転操作部は前記車体本体の一側に配置されており、前記高所作業台は、車体本体の運転操作部が配置されていない側面に沿って設けられていることを特徴とする請求項１記載の作業機。
【請求項３】
前記高所作業台は、少なくとも前記車体本体上の側面に沿って設けられた、着脱自在な、転落防止用の手摺部を有することを特徴とする請求項１または請求項２に記載の作業機。
【請求項４】
前記車体本体は、その後側に、資材を運搬する被牽引車を着脱自在に連結する連結部を有することを特徴とする請求項１から請求項３のいずれかに記載の作業機。
【請求項５】
前記載置部と前記高所作業台との間で資材を昇降自在な昇降部を備えることを特徴とする請求項１から請求項４のいずれかに記載の作業機。
【請求項６】
少なくとも、前記高所作業台、または、前記車体本体の前記高所作業台が設けられている側に、前記高所作業台の転倒防止用支持部を有することを特徴とする請求項１から請求項５のいずれかに記載の作業機。
【請求項７】
前記高所作業台は、少なくとも、その床部から前記車体本体の側方に延出する収容自在な張出足場を有することを特徴とする請求項１から請求項６のいずれかに記載の作業機。
【考案の詳細な説明】
【技術分野】
【０００１】
本考案は、作業機に関するものである。
【背景技術】
【０００２】
太陽光パネルを設置場所に配置する場合、例えば、架台などの上に太陽光パネルを配置する。詳細には、架台を構成する支持材、太陽光パネルなどを、例えば、工場や倉庫などから運搬車で設置場所付近の一時的な保管場所まで運搬し、その一時的な保管場所から設置場所まで支持材を運び、架台を組み立てた後、太陽光パネルを設置場所まで運び、太陽光パネルを架台に取り付ける作業を行っていた。その際、地上の作業者と、立ち馬や脚立足場などの上の作業者とが協働して、太陽光パネルを架台上に設置していた。
【先行技術文献】
【特許文献】
【０００３】
【特許文献１】特開２０１０−５８８７４号公報
【特許文献２】特開２０１０−１４９９６４号公報
【考案の概要】
【考案が解決しようとする課題】
【０００４】
しかしながら、例えば、不整地などの広い範囲にわたって太陽光パネルを設置する場合、一時的な保管場所から設置場所まで支持材や太陽光パネルを人力で運ぶには手間が掛かる。また、図１１に示すように、太陽光パネルは通常傾斜させて設置するものであるが、高い方の支持材に対して太陽光パネルを固定する際には、複数の作業者が不整地などに立ち馬や脚立足場を配置して作業することとなり、足場が不安定であり、作業効率が悪く、また、落下の危険を伴っていた。
【０００５】
例えば、特許文献１、特許文献２には、自走式の高所作業車が記載されている。しかしながら、特許文献１、特許文献２に記載の高所作業車では、多くの支持材や太陽光パネルなどの資材を、広い範囲にわたって運搬しながら連続的に太陽光パネルを架台に固定することは困難である。
【０００６】
このため、例えば、設置場所付近の一時的な保管場所から広い範囲にわたる設置場所へ、太陽光パネルを運搬しながら、太陽光パネルを架台に対して連続的に取付作業するのに有効な作業機が望まれている。
【０００７】
本考案は、このような問題に対処することを課題の一例とするものである。すなわち、資材などを容易に運搬可能で、且つ、広い範囲にわたって太陽光パネルの取り付け作業を容易に、かつ、安全に行うことができる作業機を提供することを目的とする。
【課題を解決するための手段】
【０００８】
このような目的を達成するために、本考案の作業機は、運転操作部および資材を載置可能な載置部を備え、クローラによって自走可能な車体本体と、前記載置部および前記運転操作部よりも高い位置に配置され、少なくとも前記車体本体上の側面に沿って設けられた高所作業台と、を有することを特徴とする。
【考案の効果】
【０００９】
本考案によれば、資材などを容易に運搬可能で、且つ、広い範囲にわたって太陽光パネルの取り付け作業を行う場合に、太陽光パネルを運搬しながら、複数並ぶ太陽光パネルの架台に沿って作業機を操作することにより、高い位置で複数の作業者が必要な太陽光パネルの取付作業を連続的に効率よく行うことができる。
また、本考案によれば、例えば、一時的な保管場所から設置場所へ太陽光パネルや支持材などを容易に運搬可能で、且つ、不整地などの設置場所であっても、作業者が容易に高所作業を行うことができる作業機を提供することができる。
【図面の簡単な説明】
【００１０】
【図１】本考案の実施形態に係る作業機の一例を示す側面図。
【図２】作業機の一例を示す上面図。
【図３】作業機の一例を示す斜視図。
【図４】作業機の後方側からの斜視図。
【図５】作業機に連結可能な被牽引車の一例を示す斜視図。
【図６】作業機の昇降部の一例を示す図、（ａ）は昇降部の斜視図、（ｂ）は昇降部上部のローラの一例を示す図。
【図７】作業機の転倒防止用支持部の一例を示す図。
【図８】作業機の転倒防止用支持部としてのアウトリガの一例を示す図。
【図９】作業機の高所作業台の一例を示す図。
【図１０】作業機の高所作業台の収容自在な張出足場の一例を示す図。
【図１１】作業機の使用形態の一例を示す図。
【考案を実施するための形態】
【００１１】
以下、図面を参照しながら本考案の実施形態を説明する。
本考案の実施形態は図示の内容を含むが、これのみに限定されるものではない。なお、以後の各図の説明で、既に説明した部位と共通する部分は同一符号を付して重複説明を一部省略する。
【００１２】
図１は、本考案の実施形態に係る作業機１の一例を示す側面図である。図２は作業機１の一例を示す上面図である。図３は作業機１の一例を示す斜視図である。尚、図２において、運転席を省略している。
【００１３】
作業機１は、自走式の車体本体２と、高所作業台５と、などを有する。本実施形態では、車体本体２は、載置部３と、運転操作部２１、クローラ２２、駆動源２３、などを有する。
詳細には、車体本体２の下部にクローラ２２が設けられている。このクローラ２２は、エンジンやモータなどの駆動源２３により駆動される。また、車体本体２上の一側（右側）の前方には、運転操作部２１が設けられている。運転操作部２１は、作業機１を運転する者により操作される、操作レバー、操作スイッチ、操作ボタンなどを有する。また、本実施形態では、運転操作部２１に運転席が設けられている。
【００１４】
載置部３は、車体本体２上の運転操作部２１以外の部分に設けられており、例えば、架台の支持材（長尺物等）やパネル（太陽光パネル）などの資材９を載置可能に構成されている。本実施形態では、載置部３は、運転操作部２１の他側（左側）および後方側に設けられている。このため、比較的多くの資材９を載置部３に載置することができる。また、例えば、載置部３は、前後方向に沿って長尺の資材９を多数載置することできるように構成されている。
また、本実施形態では、載置部３の後方側端部付近に、支柱４１を着脱自在に設けている。この支柱４１に資材９を立て掛けることで、さらに多くの資材９を載置部３に載置することができる。
【００１５】
高所作業台５は、載置部３の床部３ａおよび運転操作部２１よりも高い位置に配置されており、複数の作業者が同時に作業できるように、少なくとも車体本体２上の一側面に沿って設けられている。本実施形態では、高所作業台５は、車体本体２上で運転操作部２１が設けられていない他側（左側）に支柱などの支持部４により支持されている。このように、高所作業台５が少なくとも車体本体２上の一側面に沿って長く設けられているので、複数の作業者が同時にパネルの支持やボルト等による固定作業を行うことができ、作業効率が向上する。
また、高所作業台５を運転操作部２１が設けられていない側に配置することにより、高所作業時にエンジン等が配置された運転操作部２１が横転防止の重りとなり、安定することができる。本実施形態では、高所作業台５の床部５ａの高さ（地上からの高さ）は、例えば、１ｍ８０ｃｍ〜３ｍ５０ｃｍ程度に設定されている。尚、高所作業台５の床部５ａの高さは、作業機１の使用状況に応じて適宜設定されることが好ましい。また、作業機１は、高所作業台５の床部の高さを上下に昇降させる機構を備えていてもよい。使用状況に応じて、高所作業台５の床部を最適な高さに設定することで、作業効率を向上させることができる。
【００１６】
本実施形態に係る高所作業台５は、転落防止用の手摺部５１を有する。詳細には、手摺部５１は、高所作業台５の周囲に立設されている。この手摺部５１は、高所作業台５の床部５ａに対して、ネジやナットなどの固定部材により着脱自在に設けられている。また、本実施形態では、手摺部５１の車体本体２の一側に沿う部分以外の箇所には、高さの低い部分が設けられており、乗降し易い構造となっている。また、手摺部５１の高さの低い部分に着脱自在なチェーンを設けてもよい。尚、手摺部５１は乗降部として開閉自在な可動部分を有していてもよい。
【００１７】
図４は作業機１の後方側からの斜視図である。図５は作業機１に連結可能な被牽引車８の一例を示す斜視図である。
本実施形態では、作業機１の自走式の車体本体２は、資材を運搬する被牽引車８を着脱自在に連結する連結部２８を有する。被牽引車８は、資材などを載置する本体部８２、本体部８２に設けられた車輪、本体部８２の前方側に設けられた被連結部８１などを有する。被牽引車８は、図５に示した例に限られるものではなく、作業状況応じて適宜最適な態様のものであってもよい。
また、本実施形態では、連結部２８は、作業機１の後方端部の中央部から後方側に延設した構造となっている。こうすることで、連結部２８に被牽引車８を連結した状態で、作業機１に対して被牽引車８の後端が左または右に大きく振れた場合であっても、作業機１の車体本体２や載置部３と、被牽引車８の被連結部８１以外の部分との接触を防止することができる。
【００１８】
図６は作業機１の昇降部６の一例を示す図である。詳細には、図６（ａ）は昇降部６の斜視図、図６（ｂ）は昇降部６の上部のローラ６５の一例を示す図である。
作業機１は、載置部３と高所作業台５との間で資材９などを昇降自在な昇降部６を備えていてもよい。昇降部６は、例えば、ロープ６２（ワイヤ）、ウィンチ６３などを備え、資材９などを昇降自在に構成されている。また、図６（ｂ）に示したように、手摺部５１にゴムローラなどの弾性回転体を設け、パネルに傷をつけないような構成となっていてもよい。
尚、昇降部６は、この形態に限られるものではなく、例えば、昇降籠などを備え、昇降籠により資材を昇降させる構成となっていてもよい。
【００１９】
図７は作業機１の転倒防止用支持部５５の一例を示す図である。作業機１は、例えば、高所作業台５の転倒防止用支持部５５を有していてもよい。図７に示した転倒防止用支持部５５について説明する。
アーム５５ａの一方の端部が支持部４に回動自在に接続され、アーム５５ａの他端部が地面などに接地可能に構成されている。また、転倒防止用支持部５５は、非使用時に、アーム５５ａを収容可能に構成されている。このように、作業機１に転倒防止用支持部５５を設けることにより、高所作業時であっても、高所作業台５の転倒を容易に防止することができる。
【００２０】
図８は作業機１の転倒防止用支持部５５としてのアウトリガ５５Ｂの一例を示す図である。作業機１は、転倒防止用支持部５５としてのアウトリガ５５Ｂを有していてもよい。
図８に示したように、例えば、油圧動作式などの収容自在なアウトリガ５５Ｂを設けることで、傾斜地、不整地などでの作業時にも、作業機１の車体の安定性を確保することができる。また、作業機１の左右にアウトリガ５５Ｂを設け、高所作業台を水平となるように制御を行ってもよい。
また、アウトリガ５５Ｂの先端部（底部）に、補助輪としての小型のクローラを設けてもよい。こうすることで、アウトリガ５５Ｂの先端部を接地させた状態で、作業機１を前後方向に容易に移動させることができ、且つ、作業機１の左右方向への転倒を防止することができる。
【００２１】
図９は作業機１の高所作業台５の一例を示す図である。
作業機１の高所作業台５は、その床部から側方側水平方向に延出する張出足場５６を有していてもよい。この場合、張出足場５６は、複数の支柱により支持されるように構成されていてもよい。また、この張出足場５６に手摺部を設けてもよい。
また、張出足場５６は、収容自在に構成されていてよい。こうすることにより、作業時に張出足場５６を張り出し、移動時に張出足場５６を収容することができる。
【００２２】
図１０は作業機１の高所作業台５の収容自在な張出足場５６Ｂ（５６）の一例を示す図である。作業機１の高所作業台５は、その床部から側方側斜め下方に延出する、収容自在な張出足場５６Ｂ（５６）を有していてもよい。この張出足場５６Ｂ（５６）は、上面に滑り止め部５６１を備えていてもよい。滑り止め部５６１は、例えば、滑り止め加工処理が施された表面部や、ゴム板、凹凸部などであってもよい。
例えば、作業者が、高所作業台５の床部から側方側斜め下方に延出する張出足場５６Ｂ上で高所作業を行うことにより、パネルなどの設置作業の効率が向上する。
【００２３】
図１１は作業機１の使用形態の一例を示す図である。作業機１の動作の一例を説明する。詳細には、作業機１を用いて、設置場所に太陽光パネルなどを設置する作業を行う場合を説明する。
例えば、作業機１は、架台９１の支持材や太陽光パネル９２などの資材９を載置部に載置した状態で、一時保管場所から設置場所へ資材９を運搬する。作業者は、その資材９を用いて、設置場所で架台９１を組み立てる。
次に、例えば、昇降部により太陽光パネル９２などの資材９を載置部３から高所作業台５の高さまで移動させ、高所作業台５上の作業者が太陽光パネル９２などを架台９１に設置する。
【００２４】
広い範囲にわたって太陽光パネルの取り付け作業を行う場合には、まず、複数の架台９１を列（図１１の奥行き方向）に沿って組み立てたのちに、複数の太陽光パネルを運搬しながら、複数並ぶ太陽光パネルの架台に沿って作業機を操作して、架台９１の前で停車させて太陽光パネルの取付作業を行うことを繰り返す。
したがって、太陽光パネルをいちいち一時保管場所にまで取りに行く必要がなく、また、高所作業台が車体本体２の側面に沿って作業台が設置されているので、作業機を直線走行するだけで、複数の作業者が架台に対して効率よく位置することができ、太陽光パネルの取付作業を連続的に効率よく行うことができる。
作業機１の高所作業台５の高さ（地面からの高さ）は、架台９１の高さなど作業状況に応じて適宜規定されていることが好ましい。
【００２５】
以上、説明したように、本考案の実施形態に係る作業機１は、運転操作部２１および資材を載置可能な載置部３を備え、クローラ２２によって自走可能な車体本体２と、載置部３および運転操作部２１よりも高い位置に配置され、少なくとも車体本体２上の側面に沿って設けられた高所作業台５と、を有する。
このため、太陽光パネルや架台の支持材の資材９などを容易に運搬可能で、且つ、作業者が容易に高所作業を行うことができる作業機１を提供することができる。
また、例えば、一時的な保管場所から設置場所へ太陽光パネルや支持材などを容易に運搬可能で、且つ、不整地などの設置場所であっても、作業者が容易に高所作業を行うことができる作業機を提供することができる。
また、高所作業台５が少なくとも車体本体２の側面に沿って設けられているので、パネル（太陽光パネルなど）の設置作業を行うのに都合がよく、作業効率が良い。
【００２６】
また、作業機１はクローラ２２を備えた自走式の車体本体２を有するので、例えば、不整地などの設置場所に太陽光パネルなどを設置する場合であっても、容易に資材を運搬することができ、且つ、太陽光パネルなどを容易に設置することができる。
【００２７】
また、例えば、太陽光パネルの設置を行う場合、本考案の実施形態に係る作業機１を用いることにより、太陽光パネルや架台の支持材などの資材の運搬、および、架台上への太陽光パネルの設置作業を、少人数の作業者で行うことができる。
【００２８】
また、本考案の実施形態に係る作業機１の高所作業台５は、少なくとも車体本体２上の側面に沿って設けられた、着脱自在な、転落防止用の手摺部５１を有する。尚、手摺部５１は高所作業台５の周囲全てに設けられていることが好ましい。
このように、上記手摺部５１を設けたので、高所作業台５上で、車体本体２上の一側への作業者の転落を防止することができ、作業者にとって安全に作業可能な作業機１を提供することができる。
また、高所作業台５の手摺部５１を取り外した状態では、作業機全体の高さが低くなり、トラックなどの運搬車により、作業機１を容易に運搬することができる。
【００２９】
また、本考案の実施形態に係る作業機１の自走式の車体本体２は、その後側に、資材を運搬する被牽引車８（キャリア）を着脱自在に連結する連結部２８を有する。
このため、作業機１の連結部２８に被牽引車８を連結し、被牽引車８に架台の支持材などの資材を載置することで、その比較的大量の資材を容易に運搬することができる。
【００３０】
また、本考案の実施形態に係る作業機１は、載置部３と高所作業台５との間で資材を昇降自在な昇降部６を有する。この昇降部６は少なくとも運転操作部２１の後側に設けられていることが好ましい。このため、運転操作部２１の後側で、昇降部６により資材などを載置部３から高所作業台５へ容易に運ぶことができる。また、昇降部６により、高所作業台５から載置部３へ資材などを容易に運ぶことができる。
【００３１】
また、本考案の実施形態に係る作業機１は、少なくとも、高所作業台、または、車体本体２の高所作業台５が設けられている側に、高所作業台５の転倒防止用支持部５５を有する。
このため、例えば、高所作業台５上で作業者が作業を行っている場合であっても、高所作業台５の横転倒を防止することができる。
【００３２】
また、本考案の実施形態に係る作業機１の高所作業台５は、少なくとも、その床部５ａから車体本体２の一側に（例えば、水平方向または斜め下方に）延出する収容自在な張出足場５６を有する。
このため、作業者がその張出足場５６上で作業を行うことができ、太陽光パネルなどを架台に設置する際の作業効率が向上する。
【００３３】
以上、本考案の実施形態について図面を参照して詳述してきたが、具体的な構成はこれらの実施形態に限られるものではなく、本考案の要旨を逸脱しない範囲の設計の変更等があっても本考案に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本考案の実施形態は各図を組み合わせた一つの実施形態に限定されるものではない。
【００３４】
尚、作業機の高所作業台は、運転操作部の上方にも設けられていてもよい。この場合、作業者は、比較的広い高所作業台上で高所作業を行うことができ、安全性や作業効率が向上する。
【００３５】
また、作業機は、前方および／または後方に比較的長いクローラを有していてもよい。この場合、高所作業台の安定性が向上する。
【符号の説明】
【００３６】
１…作業機、２…車体本体、３…載置部、４…支持部、５…高所作業台、６…昇降部、８…被牽引車、２１…運転操作部、２２…クローラ、２８…連結部、５１…手摺部、５５…転倒防止用支持部、５６…張出足場。
【図１】
0003193574.tif 000003
【図２】
0003193574.tif 000004
【図３】
0003193574.tif 000005
【図４】
0003193574.tif 000006
【図５】
0003193574.tif 000007
【図６】
0003193574.tif 000008
【図７】
0003193574.tif 000009
【図８】
0003193574.tif 000010
【図９】
0003193574.tif 000011
【図１０】
0003193574.tif 000012
【図１１】
0003193574.tif 000013